(57)【要約】      （修正有）【課題】輩出したスチームに含まれた銀ナノ粒子が衣類の組織内に浸透して銀ナノ機能である殺菌、坑菌、脱臭などを効果的に発揮させる。【解決手段】端子の下段部に形成された電極棒５ａと、純銀で形成された銀電極６と、銀電極の下段で端子の電極棒および銀電極と接続するように形成されたカーボン電極７にて、塩水を沸かし、スチームに変換される時、スチームに銀ナノ粒子が含まれ、さらに多くの銀ナノ粒子が含まれるようにスチーム投入口の下段部に銀を多孔構造のスポンジ形態で形成した銀フォームフィルターで構成される。【選択図】図２
0003131368.tif 000002
【実用新案登録請求の範囲】
【請求項１】
上部に塩水を投じるための蓋と、蓋を開けて塩水を投じるように形成された投入口と、他側部に外部から電源を受けるように電線が連結して、電線と連結した端子と、下段部に水を入れるための水タンクと生成されたスチームが吐出されるスチーム吐出し口を含み構成された銀ナノスチームアイロンにおいて、端子の下段部に形成された電極棒と接続するように形成されて、外部から端子の電極棒に電源が供給されるように純銀で形成された銀電極にて、銀電極の下段で端子の電極棒および銀電極と接続するように形成されたカーボン電極と外部から電源が入ると端子の電極棒に接続した銀電極およびカーボン電極により、塩水を沸かし、スチームに変換される時、スチームに銀ナノ粒子が含まれ、銀ナノ粒子が含まれたスチームがスチーム投入口を通し、スチーム吐出し口で輩出するように構成されたことを特徴にする銀ナノスチームアイロン。
【請求項２】
上部に塩水を投じるための蓋と、蓋を開けて塩水を投じるように形成された投入口と、他側部に外部からの電源を受けるように電線が連結して、電線と連結した端子と、下段部に水を入れるための水タンクと、水タンクで生成されたスチームが吐出されるスチーム吐出し口を含み構成された銀ナノスチームアイロンにおいて、端子の下段部に形成された電極棒と接続するように形成されて、外部から端子の電極棒に電源が供給されるように純銀で形成された銀電極と、銀電極の下段で端子の電極棒および銀電極と接続するように形成されたカーボン電極にて、外部から電源が入ると端子の電極棒に接続した銀電極およびカーボン電極により、塩水を沸かし、スチームに変換される時、スチームに銀ナノ粒子が含まれて、銀ナノ粒子が含まれたスチームがスチーム投入口に流入すると銀ナノ粒子が含まれたスチームにさらに多くの銀ナノ粒子が含まれるようにスチーム投入口の下段部に銀を多孔構造のスポンジ形態で形成した銀フォームフィルターを形成して、スチーム投入口の下段部で銀フォームフィルターの離脱を防止するように形成された支持口を含み構成されたことを特徴にする銀ナノスチームアイロン。
【考案の詳細な説明】
【技術分野】
【０００１】  本考案は、銀ナノスチームアイロンに関する。
【背景技術】
【０００２】  従来のスチームアイロンの場合、単純に水蒸気だけの輩出である塩水を利用する即席式スチームアイロンや、別途のボイラーを使用し水が通過する通路に銀ナノを発生させて、衣類に噴射する銀ナノスチーム用ボイラーが使われてきた。このような銀ナノスチーム用ボイラーはアイロンにスチームを供給する別途のボイラーが必要なために家庭用には適してなく、クリーニング屋や衣類製造工場などだけで使用できる問題点があった。
【考案の開示】
【考案が解決しようとする課題】
【０００３】本考案は上記のような従来技術の問題点を解決しようと考案されたことで、本考案の目的は塩水を触媒に使用するスチームアイロンの水タンクの塩水を沸かし、スチームを発生させるようにスチームアイロン内部のカーボン電極に純銀で形成された銀電極を付加することで、塩水、カーボン電極および銀電極の化学反応により発生するスチームに銀ナノ粒子を含まれ、スチームアイロンが使われる衣類の組織に銀ナノを浸透させ、銀ナノ機能である殺菌、坑菌、脱臭などを効果的に実施するための銀ナノスチームアイロンを提供するのである。【０００４】  また、本考案の他の目的は銀ナノスチームアイロンは塩水を電極で沸かし、スチームを発生させるスチームアイロン内部にカーボン電極および純銀で形成された銀電極を付加することで、発生する銀ナノ粒子とスチームがスチーム吐出口を通過する時、銀を多孔構造のスポンジ形態で形成した銀フォームフィルターを通過するようにしてアイロンの外で輩出するスチームに銀ナノ粒子がさらに多く含まれているようにして、輩出したスチームに含まれた銀ナノ粒子が衣類の組織内に浸透して銀ナノ機能である殺菌、坑菌、脱臭などを効果的に実施するためである。
【考案を解決するための手段】
【０００５】上部に塩水を投じるための蓋と、蓋を開けて塩水を投じるように形成された投入口と、他側部に外部から電源を受けるように電線が連結して、電線と連結した端子と、下段部に水を入れるための水タンクと生成されたスチームが吐出されるスチーム吐出し口を含み構成された銀ナノスチームアイロンにおいて、端子の下段部に形成された電極棒と接続するように形成されて、外部から端子の電極棒に電源が供給されるように純銀で形成された銀電極と、銀電極の下段で端子の電極棒および銀電極と接続するように形成されたカーボン電極にて、外部から電源が入ると端子の電極棒に接続した銀電極およびカーボン電極により、塩水を沸かし、スチームに変換される時、スチームに銀ナノ粒子が含まれ、銀ナノ粒子が含まれたスチームがスチーム投入口を通し、スチーム吐出し口で輩出する。
【０００６】  上部に塩水を投じるための蓋と、蓋を開けて塩水を投じるように形成された投入口と、他側部に外部からの電源を受けるように電線が連結して、電線と連結した端子と、下段部に水を入れるための水タンクと、水タンクで生成されたスチームが吐出されるスチーム吐出し口を含み構成された銀ナノスチームアイロンにおいて、端子の下段部に形成された電極棒と接続するように形成されて、外部から端子の電極棒に電源が供給されるように純銀で形成された銀電極と、銀電極の下段で端子の電極棒および銀電極と接続するように形成されたカーボン電極にて、外部から電源が入ると端子の電極棒に接続した銀電極およびカーボン電極により、塩水を沸かし、スチームに変換される時、スチームに銀ナノ粒子が含まれて、銀ナノ粒子が含まれたスチームがスチーム投入口に流入すると銀ナノ粒子が含まれたスチームにさらに多くの銀ナノ粒子が含まれるようにスチーム投入口の下段部に銀を多孔構造のスポンジ形態で形成した銀フォームフィルターを形成して、スチーム投入口の下段部で銀フォームフィルターの離脱を防止するように形成された支持口を含み構成とする。
【考案の効果】
【０００９】  以上記述した内容から本考案の銀ナノスチームアイロンは外部から電源が入ると端子の電極棒に接続した銀電極およびカーボン電極により、塩水が沸かし、スチームに変換される時、スチームに銀ナノ粒子が含まれて、銀ナノ粒子が含まれたスチームがスチーム投入口を通し、スチーム吐出し口で輩出して、スチームアイロンが使われる衣類の組織に銀ナノ粒子が浸透し、銀ナノの機能である殺菌、坑菌、脱臭などが実施される効果がある。
【００１０】  また、本考案の銀ナノスチームアイロンは塩水を電極で沸かし、スチームを発生させるスチームアイロン内部にカーボン電極および純銀で形成された銀電極を付加することで、この銀電極で発生する銀ナノ粒子が含まれたスチームが支持台およびスチーム投入口を経て、銀を多孔構造のスポンジ形態で形成した銀フォームフィルターを通過するようにしてアイロンの外で輩出するスチームに銀ナノ粒子がさらに多く含まれているようにして、輩出したスチームに含まれた銀ナノ粒子が衣類の組織内に浸透して、銀ナノ機能である殺菌、坑菌、脱臭などを実施できる効果がある。
【考案を実施するための最良の形態】
【００１１】上記のような目的を達成するための本考案の構成を添付の図面に基づいて、具体的に説明する。【００１２】本考案の構成は上部に塩水を投じるための蓋と蓋を開けて、塩水を投じる投入口と他側部に外部から電源を受けるように電線が繋がっている端子と、下部に水を入れるための水タンクと、スチーム吐出し口を含み構成された銀ナノスチームアイロンにおいて、上記端子の下段部に形成された電極棒が貫通して、電極棒と接触するように形成されて、外部から端子の電極棒に電源が供給されると純銀で形成された銀電極端子の電極棒およびカーボン電極と接触した塩水を沸かし、スチームに変換される時、銀ナノ粒子が含まれ、更に吐出口で銀フォームを通過する時、銀ナノが加われる銀ナノスチームアイロンを提供するのである。【００１３】また、本発明の構成は上部に塩水を投じるための蓋とその蓋を開けて、塩水を投じるように形成された投入口と他側部に外部から電源を受けるように電線が連結し、端子と下段部に水を入れるための水タンクとスチーム吐出し口を含み構成された銀ナノスチームアイロンにおいて、端子の下段部に形成された電極棒が貫通し、電極棒と接触する外部からの端子と銀電極とカーボン電極に電気を通すと塩水が沸き、スチームに変換される時、銀ナノ粒子が含まれ、さらに多くの銀ナノ粒子が含まれているスチームに銀を多孔構造のスポンジ形態の銀フォームフィルターを形成して、スチーム吐出し口の下段部で銀フォームフィルターの離脱を防止するように形成された支持口を含み構成されたことを特徴にする銀ナノスチームアイロンを提供するのである。【００１４】上記のような構成で形成された本考案の作用効果を添付された図面によって具体的に説明すれば次の通りである。【００１５】図１、図２および図３に表すように、図１は本考案の斜視図で、図２は本考案の主要構成を表した断面図である。
また、図３は図２にともなう本考案の主要構成の側面図である。【００１６】本考案の構成の説明に先立ち、本考案の構成の原理は次の通りである。【００１７】本考案は銀ナノ粒子が含まれたスチームを発生させるように銀板およびカーボンで形成された銀電極（６）およびカーボン電極（７）に電流がよく通じる特性を持った塩の分子であるＮａ＋Ｃ１−が溶解した塩水が接触して、同時に銀電極に外部から電源が端子（５）の電極棒（５ａ）を通じて電流が通電すると銀イオンが発生する原理を利用して、はやい時間に塩水が沸き、銀ナノスチームが発生するように構成されている。【００１８】また図２および図３を参照して、本考案構成を説明すれば、銀ナノスチームアイロン（１）の上部に塩水を投じるための蓋（２）、上記の蓋（２）を開き、塩水を投じるように形成された投入口（３）が形成され、銀ナノスチームアイロン（１）の他側部に外部から電源を受けるように電線（２０）が連結され、電極棒（５ａ）が形成された端子（５）が形成されている。
また，銀ナノスチームアイロン（１）の下段部には水を受け入れるための水タンク（８）と水タンク（８）で生成されたスチームが吐出し口（１１）が形成されて、このスチーム吐出し口（１１）はスチーム吐出し棒（１２）の内に形成されている。【００１９】また端子（５）の下段部に形成された電極棒（５ａ）が貫通し、電極棒（５ａ）と接触するように銀電極（６）が形成され、この銀電極（６）は外部からの端子（５）の電極棒（５ａ）に電源が供給されるように純銀で形成されている。【００２０】また、銀電極（６）の下段で端子（５）の電極棒（５ａ）および銀電極（６）と接触するようにカーボン電極（７）で形成されている。【００２１】また、銀電極（６）とカーボン電極（７）を支持するように銀電極（６）が支持板（１３）の下段に結びついていて銀電極（６）およびカーボン電極（７）と結びついた電極棒（５ａ）が支持板（１３）の内部に挿入されてかたく固定されている。【００２２】また、銀電極（６）とカーボン電極（７）により生成された銀ナノ成分が含まれたスチームが水タンク（８）の上部に形成された多数の支持台（９）を通じて、スチーム投入口（１０）に伝えられる。
したがって本考案の銀ナノスチームアイロン（１）を使用するために外部から電源を入れると端子（５）の電極棒（５ａ）に接続した銀電極（６）およびカーボン電極（７）により塩水を沸かし、スチームに変換される時、スチームに銀ナノ粒子が含まれて、銀ナノ粒子が含まれたスチームがスチーム投入口（１０）を通じて吐出し口（１２）で輩出して、スチームアイロンが使われる衣類の組織に銀ナノ粒子が浸透し、銀ナノ機能である殺菌、坑菌、脱臭などが効果的に実施されるのである。【００２３】また、本考案の銀ナノスチームアイロンで噴射される銀ナノ粒子が含まれているスチームを服掛けにかけている服に噴射をすると服生地のシワが伸ばすと同時に銀ナノ粒子成分が服生地の繊維組織に浸透し、殺菌、坑菌、脱臭などが効果的に実施されるのである。【００２４】また、図４および図５を参照して説明すれば、図４は本考案の銀ナノスチームアイロンの実施例を表す図面で、図５は図４の実施例にともなう側面を表す図面である。【００２５】本考案の実施例にともなう構成を説明すると銀ナノスチームアイロン（１）の上部に塩水を投じるための蓋（２）を開け、塩水を投じるように形成された投入口（３）が形成され、銀ナノスチームアイロン（１）の他側部に外部から電源を受ける電線（２０）が繋がってその電線（２０）と連結した電極棒（５ａ）に形成された端子（５）が形成されている。【００２６】また，銀ナノスチームアイロン（１）の下段部には水を入れるための水タンク（８）と水タンク（８）で生成されたスチームが出るスチーム吐出し口（１１）が形成されて、このスチーム吐出し口（１１）はスチーム吐出し棒（１２）の中に形成されている。【００２７】また、端子（５）の下段部に形成された電極棒（５ａ）が貫通して、電極棒（５ａ）と接続する銀電極（６）が形成され、この銀電極（６）は外部からの端子（５）の電極棒（５ａ）に電源が供給されると電気が通るように純銀で形成されている。【００２８】また、銀電極（６）の下段で端子（５）の電極棒（５ａ）および銀電極（６）と接続するようにカーボン電極（７）が形成されている。【００２９】また、銀電極（６）とカーボン電極（７）を支持するように銀電極（６）が支持板（１３）の下段に結びついていて、銀電極（６）およびカーボン電極（７）と結びついた電極棒（５ａ）が支持板（１３）の内部に挿入されてかたく固定されている。【００３０】また，銀電極（６）とカーボン電極（７）により生成された銀ナノ成分が含まれたスチームが水タンク（８）の上部に形成された多数の支持台（９）を通じて，スチーム投入口（１０）に伝えられる。【００３１】したがって、本考案の銀ナノスチームアイロン（１）を使用するために外部から電源を入れると端子（５）の電極棒（５ａ）に接続した銀電極（６）およびカーボン電極（７）により塩水が若し、スチームに変換される時、スチームに銀ナノ粒子が含まれ、銀ナノ粒子が含まれたスチームがスチーム投入口（１０にで流入すると銀ナノ粒子が含まれたスチームにさらに多くの銀ナノ粒子が含まれるようにスチーム投入口（１０）の下段部に銀を多孔構造のスポンジ形態で形成した銀フォームフィルター（１４）が形成されている。【００３２】また、スチーム投入口（１０）の下段部で銀フォームフィルター（１４）の離脱を防止するように挿入ホーム（１６）が形成された支持口（１５）が形成されている。【００３３】したがって本考案の銀ナノスチームアイロンは塩水を電極で沸かし、スチームを発生させるスチームアイロン内部にカーボン電極（７）および純銀で形成された銀電極（６）を付加することで、この銀電極（６）で発生する銀ナノ粒子が含まれたスチームが支持台（９）およびスチーム投入口（１０）を経て、銀を多孔構造のスポンジ形態で形成した銀フォームフィルターを通過するようにしてアイロンの外で輩出するスチームに銀ナノ粒子がさらに多く含まれているようにして、輩出したスチームに含まれた銀ナノ粒子が衣類の組織内に浸透して、銀ナノ機能である殺菌、坑菌、脱臭などを効果的に実施できるのである。【００３４】本考案の銀ナノスチームアイロンは銀ナノ粒子がスチームにさらに多く含まれるように銀フォームフィルターの大きさ、形および位置を多様に変更できる。
【図面の簡単な説明】
【００３５】
【図１】本考案の銀ナノスチームアイロンの斜視図
【図２】本考案の銀ナノスチームアイロンの主要構成を表した断面図
【図３】本考案の銀ナノスチームアイロンの主要構成を表す側面図
【図４】本考案の銀ナノスチームアイロンの実施例を表す断面図
【図５】図４に図示された本考案の銀ナノスチームアイロンの実施例を表す断面図にともなう主要構成を表す側面図
【符号の説明】
【００３６】１：銀ナノスチームアイロン
２：蓋
３：投入口
５：端子
５ａ：電極棒
６：銀電極
７：カーボン電極
８：水タンク
９：支持台
１０：スチーム流入口
１１：スチーム吐出口
１２：スチーム吐出棒
１３：支持板
１４：銀フォームフィルター
１５：支持口
１６：挿入ホーム
２０：電線
【図１】
0003131368.tif 000003
【図２】
0003131368.tif 000004
【図３】
0003131368.tif 000005
【図４】
0003131368.tif 000006
【図５】
0003131368.tif 000007